【事件の表示】
　特許第３２２９８６９号「面光源装置及び表示装置」の請求項１ないし５に係る特許に対する特許異議の申立てについて、次のとおり決定する。
【結　論】
　訂正を認める。
　特許第３２２９８６９号の請求項１ないし５に係る特許を維持する。
【理　由】
１．手続の経緯
　本件特許第３２２９８６９号の請求項１〜５に係る発明は、平成１１年６月３０日に特許出願され、平成１３年９月７日に設定登録がなされ、特許異議の申立がなされ、取消理由通知がなされ、その指定期間内である平成１４年１０月４日に訂正請求がなされたものである。
２．訂正の適否について
　ア．訂正の内容
　訂正事項ａ
　特許請求の範囲の
「【請求項１】
　光源と、光源の光を側方から入射する入射面と入射した光を出射する出射面と対向する裏面とを有する導光板と、導光板の出射面側に設けられる偏光分離シートと、導光板の裏面と空気層を介して対向配置され、平滑面であり且つ拡散あるいは乱反射面を有する反射板とを備えることを特徴とする面光源装置。
　【請求項２】
　光源と導光板と偏光分離シートと反射板を収納するホルダを備え、
　前記ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有することを特徴とする請求項１に記載の面光源装置。
　【請求項３】
　光源と、光源の光を側方から入射する入射面と入射した光を出射する出射面と対向する裏面とを有する導光板と、導光板の出射面側に設けられる偏光分離シートと、光源と導光板と偏光分離シートを格納するホルダとを備え、
　ホルダは、照明光を出向するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする面光源装置。
　【請求項４】
　光源と、光源の光を側方から入射する入射面と入射した光を出射する出射面と出射面と対向する裏面とを有する導光板と、導光板の出射面側に設けられる偏光分離シートと、偏光分離シートの導光板が配される側とは逆の側に配される非発光表示手段と、導光板の裏面と空気層を介して対向配置され、平滑面であり且つ拡散あるいは乱反射面を有する反射板とを備えることを特徴とする表示装置。
　【請求項５】
　光源と、光源の光を側方から入射する入射面と入射した光を出射する出射面と対向する裏面とを有する導光板と、導光板の出射面側に設けられる偏光分離シートと、この偏光分離シートの出射側に配置される非発光表示手段と、光源と導光板と偏光分離シートと非発光表示手段とを格納するホルダとを備え、
　ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする表示装置。」を、
「【請求項１】
　光源と、光源の光を側方から入射する入射面と入射した光を出射する出射面と対向する裏面とを有する導光板と、導光板の出射面側に設けられる偏光分離シートと、導光板の裏面と空気層を介して対向配置され、平滑面であり且つ拡散あるいは乱反射面を有する反射板とを備え、
　該反射板は、白色の顔料を混入した樹脂板の表面を研磨加工や化学処理、あるいは成形に用いる金型によって平滑面が得られる加工が施されていることを特徴とする面光源装置。
　【請求項２】
　光源と導光板と偏光分離シートと反射板を収納するホルダを備え、
　前記ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有することを特徴とする請求項１に記載の面光源装置。
　【請求項３】
　光源と、光源の光を側方から入射する入射面と入射した光を出射する出射面と対向する裏面とを有する導光板と、導光板の出射面側に設けられるレンズシートと、レンズシートの光出射面側に配置される偏光分離シートと、光源と導光板とレンズシートと偏光分離シートを格納するホルダとを備え、
　ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする面光源装置。
　【請求項４】
　光源と、光源の光を側方から入射する入射面と入射した光を出射する出射面と対向する裏面とを有する導光板と、導光板の出射面側に設けられる偏光分離シートと、偏光分離シートの導光板が配される側とは逆の側に非発光表示手段と、導光板の裏面と空気層を介して対向配置され、平滑面であり且つ拡散あるいは乱反射面を有する反射板とを備え、
　該反射板は、白色の顔料を混入した樹脂板の表面を研磨加工や化学処理、あるいは成形に用いる金型によって平滑面が得られる加工が施されていることを特徴とする表示装置。
　【請求項５】
　光源と、光源の光を側方から入射する入射面と入射した光を出射する出射面と対向する裏面とを有する導光板と、導光板の出射面側に設けられるレンズシートと、レンズシートの光出射面側に配置される偏光分離シートと、この偏向分離シートの出射側に配置される非発光表示手段と、光源と導光板と偏光分離シートと非発光表示手段とを格納するホルダとを備え、
　ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする表示装置。」と訂正する。
　訂正事項ｂ
　本件特許明細書の
「【０００９】
【課題を解決するための手段】
　請求項１に係る本発明の面光源装置は、光源と、光源の光を側方から入射する入射面と入射した光を出射する出射面と出射面と対向する裏面とを有する導光板と、導光板の出射面側に設けられる偏光分離シートと、導光板の裏面と空気層を介して対向配置され、平滑面であり且つ拡散あるいは乱反射面を有する反射板とを備えることを特徴とする。
　【００１０】
　請求項２に係る本発明の面光源装置は、請求項１に記載の発明において、光源と導光板と偏光分離シートと反射板を収納するホルダを備え、前記ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有することを特徴とする。
　【００１１】
　請求項３に係る本発明の面光源装置は、光源と、光源の光を側方から入射する入射面と入射した光を出射する出射面と出射面と対向する裏面とを有する導光板と、導光板の出射面側に設けられる偏光分離シートと、光源と導光板と偏光分離シートを格納するホルダとを備え、ホルダは、照明光を出向するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする。
　【００１２】
　請求項４に係る本発明の表示装置は、光源と、光源の光を側方から入射する入射面と入射した光を出射する出射面と出射面と対向する裏面とを有する導光板と、導光板の出射面側に設けられる偏光分離シートと、偏光分離シートの導光板が配される側とは逆の側に配される非発光表示手段と、導光板の裏面と空気層を介して対向配置され、平滑面であり且つ拡散あるいは乱反射面を有する反射板とを備えることを特徴とする。
　【００１３】
　請求項５に係る本発明の表示装置は、光源と、光源の光を側方から入射する入射面と入射した光を出射する出射面と対向する裏面とを有する導光板と、導光板の出射面側に設けられる偏光分離シートと、この偏光分離シートの出射側に配置される非発光表示手段と、光源と導光板と偏光分離シートと非発光表示手段とを格納するホルダとを備え、ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする。」を、
「【０００９】
【課題を解決するための手段】
　請求項１に係る本発明の面光源装置は、光源と、光源の光を側方から入射する入射面と入射した光を出射する出射面と出射面と対向する裏面とを有する導光板と、導光板の出射面側に設けられる偏光分離シートと、導光板の裏面と空気層を介して対向配置され、平滑面であり且つ拡散あるいは乱反射面を有する反射板とを備え、該反射板は、白色の顔料を混入した樹脂板の表面を研磨加工や化学処理、あるいは成形に用いる金型によって平滑面が得られる加工が施されていることを特徴とする。
　【００１０】
　請求項２に係る本発明の面光源装置は、請求項１に記載の発明において、光源と導光板と偏光分離シートと反射板を収納するホルダを備え、前記ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有することを特徴とする。
　【００１１】
　請求項３に係る本発明の面光源装置は、光源と、光源の光を側方から入射する入射面と入射した光を出射する出射面と出射面と対向する裏面とを有する導光板と、導光板の出射面側に設けられるレンズシートと、レンズシートの光出射面側に配置される偏光分離シートと、光源と導光板とレンズシートと偏光分離シートを格納するホルダとを備え、ホルダは、照明光を出向するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする。
　【００１２】
　請求項４に係る本発明の表示装置は、請求項１乃至３のいずれかに記載の発明において、光源と、光源の光を側方から入射する入射面と入射した光を出射する出射面と出射面と対向する裏面とを有する導光板と、導光板の出射面側に設けられる偏光分離シートと、偏光分離シートの導光板が配される側とは逆の側に配される非発光表示手段と、導光板の裏面と空気層を介して対向配置され、平滑面であり且つ拡散あるいは乱反射面を有する反射板とを備え、該反射板は、白色の顔料を混入した樹脂板の表面を研磨加工や化学処理、あるいは成形に用いる金型によって平滑面が得られる加工が施されていることを特徴とする。
　【００１３】
　請求項５に係る本発明の表示装置は、光源と、光源の光を側方から入射する入射面と入射した光を出射する出射面と対向する裏面とを有する導光板と、導光板の出射面側に設けられるレンズシートと、レンズシートの光出射面側に配置される偏光分離シートと、この偏光分離シートの出射側に配置される非発光表示手段と、光源と導光板とレンズシートと偏光分離シートを格納するホルダとを備え、ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする表示装置。」と訂正する。
　イ．訂正の目的の適否、新規事項の有無及び拡張・変更の存否
　訂正事項ａについて
　この訂正事項ａは、請求項１及び４に係る発明の「反射板」を「反射板は、白色の顔料を混入した樹脂板の表面を研磨加工や化学処理、あるいは成形に用いる金型によって平滑面が得られる加工が施されている」に限定するものであり、そして、請求項３及び５に係る発明の「導光板の出射面側に設けられる偏光分離シート」を「導光板の出射面側に設けられるレンズシートと、レンズシートの光出射面側に配置される偏光分離シート」に限定するものであり、それぞれ特許明細書３頁段落【００１８】及び【００１９】の記載から直接的かつ一義的に導き出せる事項であるから、特許請求の範囲の減縮に該当し、新規事項の追加に該当せず、実質的に特許請求の範囲を拡張又は変更するものではない。
　訂正事項ｂについて
　この訂正事項ｂは、上記訂正事項ａの訂正に整合するように特許明細書の【課題を解決するための手段】の記載を訂正するものであるから、明りょうでない記載の釈明に該当し、新規事項の追加に該当せず、実質的に特許請求の範囲を拡張又は変更するものではない。
　ウ．むすび
　以上のとおり、上記訂正請求は、特許法第１２０条の４第２項及び同条第３項で準用する第１２６条第２〜３項の規定に適合するので、当該訂正を認める。
３．特許異議申立について
　ア．本件発明
　訂正後の本件特許明細書の特許請求の範囲の請求項１〜５に係る発明（以下、本件発明１〜５という。）は次のとおりのものである。
「【請求項１】
　光源と、光源の光を側方から入射する入射面と入射した光を出射する出射面と対向する裏面とを有する導光板と、導光板の出射面側に設けられる偏光分離シートと、導光板の裏面と空気層を介して対向配置され、平滑面であり且つ拡散あるいは乱反射面を有する反射板とを備え、
　該反射板は、白色の顔料を混入した樹脂板の表面を研磨加工や化学処理、あるいは成形に用いる金型によって平滑面が得られる加工が施されていることを特徴とする面光源装置。
　【請求項２】
　光源と導光板と偏光分離シートと反射板を収納するホルダを備え、
　前記ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有することを特徴とする請求項１に記載の面光源装置。
　【請求項３】
　光源と、光源の光を側方から入射する入射面と入射した光を出射する出射面と対向する裏面とを有する導光板と、導光板の出射面側に設けられるレンズシートと、レンズシートの光出射面側に配置される偏光分離シートと、光源と導光板とレンズシートと偏光分離シートを格納するホルダとを備え、
　ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする面光源装置。
　【請求項４】
　光源と、光源の光を側方から入射する入射面と入射した光を出射する出射面と対向する裏面とを有する導光板と、導光板の出射面側に設けられる偏光分離シートと、偏光分離シートの導光板が配される側とは逆の側に非発光表示手段と、導光板の裏面と空気層を介して対向配置され、平滑面であり且つ拡散あるいは乱反射面を有する反射板とを備え、
　該反射板は、白色の顔料を混入した樹脂板の表面を研磨加工や化学処理、あるいは成形に用いる金型によって平滑面が得られる加工が施されていることを特徴とする表示装置。
　【請求項５】
　光源と、光源の光を側方から入射する入射面と入射した光を出射する出射面と対向する裏面とを有する導光板と、導光板の出射面側に設けられるレンズシートと、レンズシートの光出射面側に配置される偏光分離シートと、この偏向分離シートの出射側に配置される非発光表示手段と、光源と導光板と偏光分離シートと非発光表示手段とを格納するホルダとを備え、
　ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする表示装置。」
　イ．異議申立の理由の概要
　異議申立人 中川 徹は、証拠として甲第１号証及び甲第２号証を提出し、本件発明１〜５は、特許法第２９条第１項第３号の規定若しくは同法同条第２項の規定に違反して特許されたものであるから、それらの特許は取り消されるべき旨主張している。
　ウ．異議申立人が提出した甲各号証に記載の発明
　取消理由に引用した刊行物１（甲第１号証、特開平１１−１４９０７４号公報）には以下の事項が記載されている。
「【００１８】
　本発明は、上記従来の問題点に鑑みてなされたものであって、比較的簡単な構成で薄型化ができると共に、量産性に優れ、且つ光の利用効率を向上できるようにしたバックライト装置及び液晶表示装置を提供することを目的とする。
　【００１９】
　【課題を解決するための手段】
　この発明は、請求項１のように、光源と、表面、裏面及び側端面を備えた略板状体であって、一側端面から入射する前記光源からの光を前記表面である出光面から拡散光として出射する導光体と、この導光体の出光面から出射する拡散光を一方の面で受光し、反対側の出光面から、拡散光の最大強度方向を該出光面の法線方向にシフトさせて出光する、少なくとも一枚の光拡散シートと、この光拡散シートの出光面からの光を受光して、該光中の一方の偏光成分を透過し、他方の偏光成分を反射する偏光分離シートと、前記導光体の裏面に配置され、光を該導光体内に反射する光反射シートと、を有してなるバックライト装置により、上記目的を達成するものである。
　【００２０】
　前記偏光分離シートは、請求項２のように、厚さ方向に隣接する層が互いに屈折率の異なる３層以上の積層体とし、入射するＰ偏光及びＳ偏光の一方を透過、
他方を反射して両者を分離するようにしてもよい。
　【００２１】
　前記偏光分離シートは、請求項３のように、コレステリック液晶層からなる旋光選択層と、１／４波長位相差層とを含んで構成し、前記コレステリック液晶層が、入射する光のうちの一方向の旋光成分と、これと逆回りの旋光成分とを分離するようにしてもよい。
　【００２２】
　前記偏光分離シートは、請求項４のように、各層が複屈折性を有する３層以上の平面状多層構造とし、平面内で互いに垂直な振動方向を持つ２つの光のうちの一方に対する厚さ方向に隣接する層間における屈折率の差と、他方に対する厚さ方向に隣接する層間における屈折率との差とが異なるように構成してもよい。」（３頁左欄【００１８】〜同頁右欄【００２２】）
「【００２７】
　図１のバックライト装置１０は、光源１２と、表面、裏面及び側端面を備えた略板状体であって、一側端面１４Ａから入射する前記光源１２からの光を前記表面である出光面１４Ｂから拡散光として出射する導光体１４と、この導光体１４の出光面１４Ｂから出射する拡散光を一方の面で受光し、反対側の出光面１６Ａ（図２参照）から、拡散光の最大強度方向を該出光面１６Ａの法線方向にシフトさせて出光する光拡散シート１６と、この光拡散シート１６の出光面１６Ａからの光を受光して、該光中の一方の偏光成分を透過し、他方の偏光成分を反射する偏光分離シート１８と、前記導光体１４の裏面１４Ｃ側に配置され、光を該導光体１４内に反射する光反射シート２０と、を備えて構成されている。」（３頁右欄【００２７】〜４頁左欄【００２７】）
「【００４３】
　前記光反射シート２０は、光を反射する性質を有するものであればよく、その材質は特に限定されないが、例えばＰＥＴの内部に多数の気泡を含有する厚さ０．１?２ｍｍ程度で、拡散反射率８０％以上のシート、ＰＥＴの表面にＡｌ、Ａｇ等を蒸着した厚さ０．１?１ｍｍ程度で、鏡面反射率が８０％以上のシート等であればよい。」（４頁右欄【００４３】）
「【００４９】
　偏光分離シート１８によって反射されたＳ偏光成分の多い反射光は、光拡散シート１６、導光体１４における光拡散層１４Ｄ、光反射シート２０等によって、偏光状態から無偏光な状態へ変換され、出光面１４Ｂから光拡散シート１６を通って偏光分離シート１８に再度入射する。
　【００５０】
　このように、導光体１４の出光面１４Ｂから出射された光が、上記のような経路を辿ることによって、光損失が少なく偏光分離シート１８を透過し、該偏光分離シート１８の出光面からＰ偏光成分の多いバックライト光として出射する。」（４頁右欄【００４９】〜５頁左欄【００５０】）
　取消理由に引用した刊行物２（甲第２号証、特開平１１−１５３９１号公報）には以下の事項が記載されている。
「【００１５】
　（実施の形態１）
　図１は照明装置１を裏側から見た斜視図であり、図２は照明装置１を横側から見た断面図であり、図３は照明装置１の先端部を裏側から見た図である。これら図１?図３によると、表側に光出射開口部２が形成されかつ裏側が開放された四角形状のハウジング３の内部に、蛍光管４と、この蛍光管４の光を均斉化するアクリル製の導光板５とが設けられている。上記蛍光管４は導光板５の一側方に沿って設けられており、ハウジング３には、蛍光管４への給電用のリード線６を挿入する挿入口７が形成されている。上記導光板５は、蛍光管４から発せられた光を有効利用するため、ドットパターン等により均斉化処理が施されている。
　【００１６】
　また、上記導光板５の裏面側には、導光板５から裏面側へ漏れた光を導光板５側へ反射する反射シート９が設けられ、さらに、蛍光管４を包み込むランプリフレクター１０が備えられており、導光板５の裏面側では、反射シート９の端部上にランプリフレクター１０の端部が重複して接合されている。また、導光板５の表面側（すなわち光が出射される面）には、光を拡散させる拡散シート１１が設けられている。
　【００１７】
　また、導光板５の先端部の両側端には、外側方へ突出する凸部１２（係合部の一例）が一体的に形成されており、これら両凸部１２はそれぞれ、ハウジング３に形成された凹部１３（被係合部の一例）に裏側から係脱自在にはめ込まれている。上記凸部１２が凹部１３に係合することにより、ハウジング３に対して導光板５が表裏面に沿った方向Ｘ，Ｙへずれることを規制している。
　【００１８】
　上記導光板５の先端部の裏側には、凸部１２を補強する補強板１４（補強部材の一例）が反射シート９を介して設けられている。この補強板１４は、両凸部１２間にわたり、両面テープ等の接合材（図示せず）で反射シート９に貼付けられている。尚、補強板１４の両端部は凸部１２と共に上記凹部１３に裏側から係脱自在にはめ込まれる。また、図３に示すように、上記補強板１４は、凸部１２の周縁および導光板５の先端よりも外側へはみ出している。
　【００１９】
　以下、上記構成における作用を説明する。
　凸部１２は補強板１４で補強され、さらに、衝撃が加わっても、補強板１４の端部がハウジング３の凹部１３の内面に直接当接して導光板５の表裏面に沿った方向Ｘ，Ｙへのずれが規制されるため、導光板５の凸部１２は凹部１３の内面に当接せず、これにより大型薄型化に伴って導光板５が凸部１２から破損するのを防止することができる。
　【００２０】
　上記実施の形態では、係合部の一例として凸部１２を導光板５に形成し、被係合部の一例として凹部１３をハウジング３に形成しているが、これとは逆に、導光板５に凹部を形成し、この凹部に係脱自在な凸部をハウジング３に形成してもよい。また、上記導光板５から凸部１２をなくしてもよい。
　【００２１】
　（実施の形態２）
　図４に示すように、実施の形態２は上記実施の形態１の照明装置１を使用した液晶表示装置２０であって、ハウジング３の表側に液晶表示パネル２１（液晶表示素子に相当）が設けられ、この液晶表示パネル２１はハウジング３に取付けられた保持フレーム２２で保持されている。」（３頁左欄【００１５】〜同頁右欄【００２１】）
　エ．対比・判断
　（１）本件発明１について
　本件発明１の「反射板は、白色の顔料を混入した樹脂板の表面を研磨加工や化学処理、あるいは成形に用いる金型によって平滑面が得られる加工が施されている」ことは上記刊行物１及び２のいずれにも記載も示唆もされておらず、当業者に周知の慣用技術でもない。
　そして、本件発明１は、「反射板は、白色の顔料を混入した樹脂板の表面を研磨加工や化学処理、あるいは成形に用いる金型によって平滑面が得られる加工が施されている」ことにより、銀箔反射シートを用いた場合に発生する照明輝度の低下や輝度むらを改善することができると共に、偏光分離シートを備える場合に、導光板の裏面に対向配置される位相差板（あるいは１／４波長板）を備えることなく偏向分離シートの効果を十分に得ることが可能になるという作用効果を呈するものである。
　してみると、本件発明１は、刊行物１に記載されたに等しい発明である、若しくは、刊行物１及び２に記載の発明及び周知の慣用技術に基づいて当業者が容易に発明をすることができたものである、ともすることができないから、特許法第２９条第１項第３号の規定、若しくは、同法同条第２項の規定に違反して特許されたものとすることができない。
　（２）本件発明２について
　本件発明２は、本件発明１を「照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有する」ホルダを備える点に限定するものであり、上記「（１）本件発明１について」と同様の理由により刊行物１及び２に記載の発明及び周知の慣用技術に基づいて当業者が容易に発明をすることができたものとすることができないから、特許法第２９条第２項の規定に違反して特許されたものとすることができない。
　（３）本件発明３について
　本件発明３の「ホルダの後面部は、導光板の裏面と空気層を介して対向し、平滑面であり且つ拡散あるいは乱反射面に形成されている」ことは上記刊行物１及び２のいずれにも記載も示唆もされておらず、当業者に周知の慣用技術でもない。
　そして、本件発明３は、「ホルダの後面部は、導光板の裏面と空気層を介して対向し、平滑面であり且つ拡散あるいは乱反射面に形成されている」ことにより、別体の反射板を備える必要がなく、部品点数の削減を図ることができるという作用効果を呈するものでる。
　してみると、本件発明３は、刊行物１及び２に記載の発明及び周知の慣用技術に基づいて当業者が容易に発明をすることができたものとすることができないから、特許法第２９条第１項第３号の規定、若しくは、同法同条第２項の規定に違反して特許されたものとすることができない。
　（４）本件発明４について
　本件発明４の「反射板は、白色の顔料を混入した樹脂板の表面を研磨加工や化学処理、あるいは成形に用いる金型によって平滑面が得られる加工が施されている」ことは上記刊行物１及び２のいずれにも記載も示唆もされておらず、当業者に周知の慣用技術でもない。
　そして、本件発明４は、「反射板は、白色の顔料を混入した樹脂板の表面を研磨加工や化学処理、あるいは成形に用いる金型によって平滑面が得られる加工が施されている」ことにより、銀箔反射シートを用いた場合に発生する照明輝度の低下や輝度むらを改善することができると共に、偏光分離シートを備える場合に、導光板の裏面に対向配置される位相差板（あるいは１／４波長板）を備えることなく偏向分離シートの効果を十分に得ることが可能になるという作用効果を呈するものでる。
　してみると、本件発明４は、刊行物１に記載されたに等しい発明である、若しくは、刊行物１及び２に記載の発明及び周知の慣用技術に基づいて当業者が容易に発明をすることができたものである、ともすることができないから、特許法第２９条第１項第３号の規定、若しくは、同法同条第２項の規定に違反して特許されたものとすることができない。
　（５）本件発明５について
　本件発明５の「ホルダの後面部は、導光板の裏面と空気層を介して対向し、平滑面であり且つ拡散あるいは乱反射面に形成されている」ことは上記刊行物１及び２のいずれにも記載も示唆もされておらず、当業者に周知の慣用技術でもない。
　そして、本件発明５は、「後面部は、導光板の裏面と空気層を介して対向し、平滑面であり且つ拡散あるいは乱反射面に形成されている」ことにより、別体の反射板を備える必要がなく、部品点数の削減を図ることができるという作用効果を呈するものでる。
　してみると、本件発明５は、刊行物１及び２に記載の発明及び周知の慣用技術に基づいて当業者が容易に発明をすることができたものとすることができないから、特許法第２９条第２項の規定に違反して特許されたものとすることができない。
　オ．むすび
  以上のとおりであるから、異議申立の理由及び証拠によっては、本件発明１〜５についての特許を取り消すことができない。
　また、他に本件発明１〜５についての特許を取り消すべき理由を発見しない。
　よって、結論のとおり決定する。
【異議決定日】
平成１４年１０月２９日（２００２．１０．２９）
【訂正の要旨】
訂正の内容
　訂正事項ａ
　特許請求の範囲の
「【請求項１】
　光源と、光源の光を側方から入射する入射面と入射した光を出射する出射面と対向する裏面とを有する導光板と、導光板の出射面側に設けられる偏光分離シートと、導光板の裏面と空気層を介して対向配置され、平滑面であり且つ拡散あるいは乱反射面を有する反射板とを備えることを特徴とする面光源装置。
　【請求項２】
　光源と導光板と偏光分離シートと反射板を収納するホルダを備え、
　前記ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有することを特徴とする請求項１に記載の面光源装置。
　【請求項３】
　光源と、光源の光を側方から入射する入射面と入射した光を出射する出射面と対向する裏面とを有する導光板と、導光板の出射面側に設けられる偏光分離シートと、光源と導光板と偏光分離シートを格納するホルダとを備え、
　ホルダは、照明光を出向するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする面光源装置。
　【請求項４】
　光源と、光源の光を側方から入射する入射面と入射した光を出射する出射面と出射面と対向する裏面とを有する導光板と、導光板の出射面側に設けられる偏光分離シートと、偏光分離シートの導光板が配される側とは逆の側に配される非発光表示手段と、導光板の裏面と空気層を介して対向配置され、平滑面であり且つ拡散あるいは乱反射面を有する反射板とを備えることを特徴とする表示装置。
　【請求項５】
　光源と、光源の光を側方から入射する入射面と入射した光を出射する出射面と対向する裏面とを有する導光板と、導光板の出射面側に設けられる偏光分離シートと、この偏光分離シートの出射側に配置される非発光表示手段と、光源と導光板と偏光分離シートと非発光表示手段とを格納するホルダとを備え、
　ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする表示装置。」を、
「【請求項１】
　光源と、光源の光を側方から入射する入射面と入射した光を出射する出射面と対向する裏面とを有する導光板と、導光板の出射面側に設けられる偏光分離シートと、導光板の裏面と空気層を介して対向配置され、平滑面であり且つ拡散あるいは乱反射面を有する反射板とを備え、
　該反射板は、白色の顔料を混入した樹脂板の表面を研磨加工や化学処理、あるいは成形に用いる金型によって平滑面が得られる加工が施されていることを特徴とする面光源装置。
　【請求項２】
　光源と導光板と偏光分離シートと反射板を収納するホルダを備え、
　前記ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有することを特徴とする請求項１に記載の面光源装置。
　【請求項３】
　光源と、光源の光を側方から入射する入射面と入射した光を出射する出射面と対向する裏面とを有する導光板と、導光板の出射面側に設けられるレンズシートと、レンズシートの光出射面側に配置される偏光分離シートと、光源と導光板とレンズシートと偏光分離シートを格納するホルダとを備え、
　ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする面光源装置。
　【請求項４】
　光源と、光源の光を側方から入射する入射面と入射した光を出射する出射面と対向する裏面とを有する導光板と、導光板の出射面側に設けられる偏光分離シートと、偏光分離シートの導光板が配される側とは逆の側に非発光表示手段と、導光板の裏面と空気層を介して対向配置され、平滑面であり且つ拡散あるいは乱反射面を有する反射板とを備え、
　該反射板は、白色の顔料を混入した樹脂板の表面を研磨加工や化学処理、あるいは成形に用いる金型によって平滑面が得られる加工が施されていることを特徴とする表示装置。
　【請求項５】
　光源と、光源の光を側方から入射する入射面と入射した光を出射する出射面と対向する裏面とを有する導光板と、導光板の出射面側に設けられるレンズシートと、レンズシートの光出射面側に配置される偏光分離シートと、この偏向分離シートの出射側に配置される非発光表示手段と、光源と導光板と偏光分離シートと非発光表示手段とを格納するホルダとを備え、
　ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする表示装置。」と訂正する。
　訂正事項ｂ
　本件特許明細書の
「【０００９】
　【課題を解決するための手段】
　請求項１に係る本発明の面光源装置は、光源と、光源の光を側方から入射する入射面と入射した光を出射する出射面と出射面と対向する裏面とを有する導光板と、導光板の出射面側に設けられる偏光分離シートと、導光板の裏面と空気層を介して対向配置され、平滑面であり且つ拡散あるいは乱反射面を有する反射板とを備えることを特徴とする。
　【００１０】
　請求項２に係る本発明の面光源装置は、請求項１に記載の発明において、光源と導光板と偏光分離シートと反射板を収納するホルダを備え、前記ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有することを特徴とする。
　【００１１】
　請求項３に係る本発明の面光源装置は、光源と、光源の光を側方から入射する入射面と入射した光を出射する出射面と出射面と対向する裏面とを有する導光板と、導光板の出射面側に設けられる偏光分離シートと、光源と導光板と偏光分離シートを格納するホルダとを備え、ホルダは、照明光を出向するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする。
　【００１２】
　請求項４に係る本発明の表示装置は、光源と、光源の光を側方から入射する入射面と入射した光を出射する出射面と出射面と対向する裏面とを有する導光板と、導光板の出射面側に設けられる偏光分離シートと、偏光分離シートの導光板が配される側とは逆の側に配される非発光表示手段と、導光板の裏面と空気層を介して対向配置され、平滑面であり且つ拡散あるいは乱反射面を有する反射板とを備えることを特徴とする。
　【００１３】
　請求項５に係る本発明の表示装置は、光源と、光源の光を側方から入射する入射面と入射した光を出射する出射面と対向する裏面とを有する導光板と、導光板の出射面側に設けられる偏光分離シートと、この偏光分離シートの出射側に配置される非発光表示手段と、光源と導光板と偏光分離シートと非発光表示手段とを格納するホルダとを備え、ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする。」を、
「【０００９】
　【課題を解決するための手段】
　請求項１に係る本発明の面光源装置は、光源と、光源の光を側方から入射する入射面と入射した光を出射する出射面と出射面と対向する裏面とを有する導光板と、導光板の出射面側に設けられる偏光分離シートと、導光板の裏面と空気層を介して対向配置され、平滑面であり且つ拡散あるいは乱反射面を有する反射板とを備え、該反射板は、白色の顔料を混入した樹脂板の表面を研磨加工や化学処理、あるいは成形に用いる金型によって平滑面が得られる加工が施されていることを特徴とする。
　【００１０】
　請求項２に係る本発明の面光源装置は、請求項１に記載の発明において、光源と導光板と偏光分離シートと反射板を収納するホルダを備え、前記ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有することを特徴とする。
　【００１１】
　請求項３に係る本発明の面光源装置は、光源と、光源の光を側方から入射する入射面と入射した光を出射する出射面と出射面と対向する裏面とを有する導光板と、導光板の出射面側に設けられるレンズシートと、レンズシートの光出射面側に配置される偏光分離シートと、光源と導光板とレンズシートと偏光分離シートを格納するホルダとを備え、ホルダは、照明光を出向するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする。
　【００１２】
　請求項４に係る本発明の表示装置は、請求項１乃至３のいずれかに記載の発明において、光源と、光源の光を側方から入射する入射面と入射した光を出射する出射面と出射面と対向する裏面とを有する導光板と、導光板の出射面側に設けられる偏光分離シートと、偏光分離シートの導光板が配される側とは逆の側に配される非発光表示手段と、導光板の裏面と空気層を介して対向配置され、平滑面であり且つ拡散あるいは乱反射面を有する反射板とを備え、該反射板は、白色の顔料を混入した樹脂板の表面を研磨加工や化学処理、あるいは成形に用いる金型によって平滑面が得られる加工が施されていることを特徴とする。
　【００１３】
　請求項５に係る本発明の表示装置は、光源と、光源の光を側方から入射する入射面と入射した光を出射する出射面と対向する裏面とを有する導光板と、導光板の出射面側に設けられるレンズシートと、レンズシートの光出射面側に配置される偏光分離シートと、この偏光分離シートの出射側に配置される非発光表示手段と、光源と導光板とレンズシートと偏光分離シートを格納するホルダとを備え、ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする表示装置。」と訂正する。
（５４）【発明の名称】
面光源装置及び表示装置
（５７）【特許請求の範囲】
　【請求項１】
　光源と、光源の光を側方から入射する入射面と入射した光を出射する出射面と出射面と対向する裏面とを有する導光板と、導光板の出射面側に設けられる偏光分離シートと、導光板の裏面と空気層を介して対向配置され、平滑面であり且つ拡散あるいは乱反射面を有する反射板とを備え
、
　
該反射板は、白色の顔料を混入した樹脂板の表面を研磨加工や化学処理、あるいは成形に用いる金型によって平滑面が得られる加工が施されている
　【請求項２】
　光源と導光板と偏光分離シートと反射板を収納するホルダを備え、
　前記ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有することを特徴とする請求項１に記載の面光源装置。
　【請求項３】
　光源と、光源の光を側方から入射する入射面と入射した光を出射する出射面と出射面と対向する裏面とを有する導光板と、導光板の出射面側に設けられる
レンズシートと、レンズシートの光出射面側に配置される
レンズシートと
　ホルダは、照明光を出
光
　【請求項４】
　光源と、光源の光を側方から入射する入射面と入射した光を出射する出射面と出射面と対向する裏面とを有する導光板と、導光板の出射面側に設けられる偏光分離シートと、偏光分離シートの導光板が配される側とは逆の側に配される非発光表示手段と、導光板の裏面と空気層を介して対向配置され、平滑面であり且つ拡散あるいは乱反射面を有する反射板とを備え
、
　
該反射板は、白色の顔料を混入した樹脂板の表面を研磨加工や化学処理、あるいは成形に用いる金型によって平滑面が得られる加工が施されている
　【請求項５】
　光源と、光源の光を側方から入射する入射面と入射した光を出射する出射面と対向する裏面とを有する導光板と、導光板の出射面側に設けられる
レンズシートと、レンズシートの光出射面側に配置される
　ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有し、後面部は、導光板の裏面と空気層を介して対向し、平滑面であり且つ拡散あるいは乱反射面に形成されていることを特徴とする表示装置。
【発明の詳細な説明】
　【０００１】
　【発明の属する技術分野】
　本発明は、面光源装置及びその面光源装置を用いた表示装置に関し、特に偏光分離シートを用いるものに関するものである。
　【０００２】
　【従来の技術】
　液晶表示装置に代表される非発光表示装置においては、例えば、デジタルスチルカメラやビデオカメラ、あるいは携帯用液晶テレビ等の製品に組み込まれる際に、その照明のため背面にはバックライトユニットが設けられる。表示画面の視認性や良好な画質を得るべく、バックライトユニットには均一で高い輝度を呈する照明性能が要求される。
　【０００３】
　バックライトユニットの輝度を向上させるために、バックライトユニットの構成要素である導光板から出射される光のうち、Ｐ偏光を透過させＳ偏光を反射させる、あるいは右回り円偏光を通過させ左回り円偏光を反射させる偏光分離シートを備えて、バックライトユニットからの照明輝度を向上させるものが実用化されている（例えば特開平９−１０５９２９号公報参照）。
　【０００４】
　斯様な偏光分離シートは、導光板から出射する光のうち、所望の偏光成分を通過させ、通過した（偏光成分の）光は液晶表示パネル等に進んでこれを照明する。所望の偏光成分でない偏光成分は、反射されて導光板内へと戻り再度導光板の出射面へと進行してくる過程で所望の偏光成分となり、その後出射面から出射して偏光分離シートを通過し液晶表示パネル等を照明する。液晶表示パネルは、元来、一方の偏光成分の光について、その通過の可否により表示を行うものであるから、照明光としては一方の偏光成分のみの光で良い。このため、偏光分離シートを用いることで、他方の偏光成分を一方の偏光成分の光として利用でき、斯様なバックライトユニットでは、光源からの光の効率的な利用がされ、照明輝度の向上が図れる。
　【０００５】
　通常、偏光分離シートを備える面光源装置では、
特に
　【０００６】
　一方、特開平１０−２５３８３０号公報では、この位相差板（あるいは１／４波長板）を備えていないので、部品点数の削減によるコストダウンや作業の簡略化を図ることが可能である。
　【０００７】
　【発明が解決しようとする課題】
　しかしながら、偏光分離シートを備える面光源装置において、位相差板（あるいは１／４波長板）を裏面の備えない場合、即ち、裏面に金属反射層が直接対向する場合、照明光の輝度の均一性が低下してしまう問題があった。また、偏光分離シートを備えるにも拘わらず、照明輝度を余り向上させることができず、偏光分離シートの効果を十分得ることができなかった。輝度の均一性の低下や照明輝度の不足は、面光源装置としての照明性能を損ない、更にはその面光源装置を備えた表示装置の表示性能をも低下させてしまう。
　【０００８】
　本発明は、斯様な点に鑑みてなされたもので、偏光分離シートを備え、導光板の裏面側に位相差板（あるいは１／４波長板）を備えない面光源装置における照明輝度の向上と輝度むらの改善を図り、その面光源を用いて表示性能の優れた表示装置を提供することを目的とするものである。
　【０００９】
　【課題を解決するための手段】
　請求項１に係る本発明の面光源装置は、光源と、光源の光を側方から入射する入射面と入射した光を出射する出射面と出射面と対向する裏面とを有する導光板と、導光板の出射面側に設けられる偏光分離シートと、導光板の裏面と空気層を介して対向配置され、平滑面であり且つ拡散あるいは乱反射面を有する反射板とを備え
、該反射板は、白色の顔料を混入した樹脂板の表面を研磨加工や化学処理、あるいは成形に用いる金型によって平滑面が得られる加工が施されている
　【００１０】
　請求項２に係る本発明の面光源装置は、請求項１に記載の発明において、光源と導光板と偏光分離シートと反射板を収納するホルダを備え、前記ホルダは、照明光を出光するために偏光分離シートの導光板が配される側とは逆の側に設けられた開口部と、導光板の裏面側を覆う後面部と、導光板の入射面を除く側面を覆う周面部と、光源が収納され導光板の入射面部分に対応した開口を有する光源収納室と、偏光分離シートの導光板が配される側とは逆の側に非発光表示手段を収納する表示手段収納領域とを有することを特徴とする。
　【００１１】
　請求項３に係る本発明の面光源装置は、光源と、光源の光を側方から入射する入射面と入射した光を出射する出射面と出射面と対向する裏面とを有する導光板と、導光板の出射面側に設けられる
レンズシートと、レンズシートの光出射面側に配置される
レンズシートと
光
　【００１２】
　請求項４に係る本発明の面光源装置は、請求項１乃至３のいずれかに記載の発明において、光源と、光源の光を側方から入射する入射面と入射した光を出射する出射面と出射面と対向する裏面とを有する導光板と、導光板の出射面側に設けられる偏光分離シートと、偏光分離シートの導光板が配される側とは逆の側に配される非発光表示手段と、導光板の裏面と空気層を介して対向配置され、平滑面であり且つ拡散あるいは乱反射面を有する反射板とを備え
、該反射板は、白色の顔料を混入した樹脂板の表面を研磨加工や化学処理、あるいは成形に用いる金型によって平滑面が得られる加工が施されている
　【００１３】
　請求項５に係る本発明の表示装置は、光源と、光源の光を側方から入射する入射面と入射した光を出射する出射面と対向する裏面とを有する導光板と、導光板の出射面側に設けられる
レンズシートと、レンズシートの光出射面側に配置される
レンズシートと
　【００１４】
　【実施の形態】
　以下、本発明の実施の形態を図に基づいて説明する。
　【００１５】
　図１は本発明に係る表示装置の一実施例の組立構成図、図２は図１の表示装置の概略構成図である。
　【００１６】
　１は後述する導光板内に光を供給するための冷陰極蛍光灯等の光源、２は透光性材料から成る導光板で、光源１からの光が入射される側面である入射面２１、入射された光が導光板内を通過しながら出射される出射面２２、出射面２２と対向する面である裏面２３、入射面２１以外の３つの側面２４を備えている。導光板２は、出射光の出射効率の向上のためにその厚さ、即ち出射面２２と裏面２３との距離が入射面２１から離れるに従って小さくなる形状に形成されており、また図示しないが、出射光の輝度を向上させるために出射面に断面三角形の頂陵からなるレンズ群や、裏面２３に入射された光が出射面２２から均一な輝度で出射するようなパターン設計された拡散手段としての拡散パターンが形成されていてもよい。
　【００１７】
　斯様な導光板は、通常、熱可塑性樹脂を用いた射出成形により形成されるのでレンズ群や拡散パターンを備えるものであっても、金型を用いた一般的な成形工程により一体的に且つ容易に形成することができる。
　【００１８】
　３は導光板２の裏面２３と空気層を介して対向配置される反射板で、裏面２３と対向する面は、つるつるの平滑面であり且つ拡散あるいは乱反射面となっている。つるつるの平滑面というのは所謂表面が鏡面仕上げされている状態であるが、この反射板３の反射面が銀箔やアルミニウム等の金属反射膜における鏡面と異なるのは、反射板３の反射面は光の反射が拡散あるいは乱反射するものであるが、鏡面はつるつるの平滑面であると共にその面での光の反射は正反射であることである。斯様な反射板３は、例えば、白色の顔料を混入したポリカーボネート等の樹脂板の表面を研磨加工や化学処理したり、あるいは成形に用いる金型につるつるの平滑面が得られるような加工を施すことで得ることができる。
　【００１９】
　４は出射面２２から出射された光を均一に分布させるための拡散シート、５は拡散シート４を通過してきた光を集光して狭い角度で出射するレンズシート、６はレンズシート５の出光側に設けられ入射する光のうち一方の偏光成分（Ｐ偏光）を透過し、他方の偏光成分（Ｓ偏光）を反射する偏光分離シート、７は偏光分離シート６の上方に設けられる非発光表示手段としての透過型の液晶表示パネルである。
　【００２０】
　８、９は光源１、導光板２、反射板３、拡散シート４、レンズシート５、偏光分離シート６、液晶表示パネル７を格納するホルダで、第１ホルダ８、第２ホルダ９に分割されており、第１ホルダ８は導光板２の裏面側、第２ホルダ９は液晶表示パネル７の表示面側においてこれらを保持する。
　【００２１】
　図３は第１ホルダ８の内面概略図である。
　【００２２】
　第１ホルダ８には、導光板の裏面２３と対向してこれを覆う後面部８１と、反射面に形成され導光板の側面２４と対向してこれを覆う周面部８６と、光源１を押さえて保持する第１光源保持部８２と、光源１に電力を供給するための電線（図示せず）を押さえて保持する第１電線保持部８３と、導光板２の入射面２１部分に対応した開口を有し光源１を収納する光源収納室Ａの下半分部分である第１収納領域８４と、第１収納領域８４内に形成され光源１の発光部分と対応した反射面を有する第１リフレクタ８５が設けられている。また、第１ホルダ８の外周部には、第２ホルダ９との組立のための複数個の凸部８７が設けられている。
　【００２３】
　図４は第２ホルダ９の内面概略図である。
　【００２４】
　第２ホルダ９には、偏光分離シート６の導光板２が配せられる側とは逆の側に設けられ液晶表示パネル７の表示領域に対応した開口部９１と、第１ホルダ８と対応して、光源１を押さえて保持する第２光源保持部９２と、光源１に電力を供給するための電線（図示せず）を押さえて保持する第２電線保持部９３と、導光板２の入射面２１部分に対応した開口を有し光源１を収納する光源収納室Ａの上半分部分である第２収納領域９４と、第２収納領域９４内に形成され光源１の発光部分と対応した反射面を有する第２リフレクタ９５が設けられている。そして、開口部９１の下側で、偏光分離シート６が導光板２が配せられる側とは逆の側である偏光分離シート７の上方の部分には、液晶表示パネル７が収納される表示手段収納領域としてのパネル収納部Ｂが形成されている。また、出射面２２における入射面２１側近傍に対向する位置に、第２リフレクタ９５から連続した状態で遮光片９６が設けられ、第２ホルダ９の外周部には、凸部８７と対応して、凸部８７が嵌合される係合部９７が複数個設けられている。
　【００２５】
　これら第１ホルダ８及び第２ホルダ９は、例えば、ポリカーボネート等の遮光性を有する樹脂で形成され、更に白色の顔料あるいは反射率を向上させる材料（例えば二酸化チタン）を混入させることで、全体が白色に形成され高い反射率を有している。斯様な第１ホルダ８及び第２ホルダ９は、射出成形により容易に形成される。
　【００２６】
　さて、第１ホルダ８及び第２ホルダ９内に光源１、導光板２、反射板３、拡散シート４、レンズシート５、偏光分離シート６、液晶表示パネル７が収められ、凸部８７と係合部９７とが係合されて面光源装置を備える表示装置が組み立てられる。このとき、液晶表示パネル７はパネル収納部Ｂに収納され、また、導光板の裏面２３と反射板３との間に空気層１０が介在した状態となる。
　【００２７】
　斯様な状態では、第１ホルダ８と第２ホルダ９がと共に分割して構成されていた第１収納領域８４と第２収納領域９４により光源収納室Ａが構成され、この光源収納室Ａ内に、図示しないが、発光部の両端部分が第１光源保持部８２及び第２光源保持部９２で挟持されて保持された状態で光源１が収納される。このとき、光源１の発光部分の入射面２１側を除いた周囲には、光源１（発光部分）との距離が一定に保たれ、光源１からの光を入射面２１に効率良く導くための所定の形状の反射面を有する第１リフレクタ８５と第２リフレクタ９５が対向する。また、出射面２２に対して、入射面２１側近傍には遮光片９６が対向する。この遮光片９６は光源１からの光が洩れて直接液晶表示パネル７の表示領域を背面から照明することを防止する。
　【００２８】
　そして、光源１を点灯させると、一部の光は直接入射面２１へと入射され、他の光は第１リフレクタ８５あるいは第２リフレクタ９５で反射されて入射面２１へと入射される。このとき、第１リフレクタ８５及び第２リフレクタ９５は外力により変形することはなく、光源１も第１、第２光源保持部８２、９２で保持されているので、光源１と第１、第２リフレクタ８５、９５との間には常に十分な空間が確保されている。このため、第１、第２リフレクタ８５、９５で反射された光が光源１へと進む割合が非常に小さくなり、第１、第２リフレクタ８５、９５で反射された光は多くの割合で入射面２１へと入射する。即ち、光源１からの光は高い効率で入射面２１へと入射される。
　【００２９】
　入射面２１から入射した光は、導光板２内を進行しながら、裏面２３で反射あるいは裏面２３から洩れた光は反射板３の反射面で反射されて再度導光板２内に入射され、出射面２２から出射される。出射した光は、拡散シート４及びレンズシート５を経て偏光分離シート６に入射される。偏光分離シート６に入射した光のうちＰ偏光成分の光だけが通過して液晶表示パネル７を背面から照明する。偏光分離シート６ではＳ偏光成分の光は反射され、レンズシート５及び拡散シート４を経て出射面２２から導光板２内に入射する。偏光分離シート６で反射され出射面２２から入射した光は、裏面２３あるいは反射板３で反射され、再度出射面２２から出射され、拡散シート４及びレンズシート５を経て偏光分離シート６に入射される。このとき、偏光分離シート６に入射される光は、裏面２３あるいは反射板３での反射によりＰ偏光成分の光となっているので、反射されることなく偏光分離シート６を通過して、液晶表示パネル７を背面から照明する。
　【００３０】
　ここで、導光板の裏面に設ける反射板として、本実施例における反射板３を用いた場合と、正反射面の鏡面である銀箔の金属反射膜を有する銀箔反射シートを用いた場合との照明光の輝度の比較を図５に示す。図５において、輝度の測定は、反射板以外の条件は両者とも図１に示すような表示装置の構成で行ない、液晶表示パネル７の表示面における図６に示す各点で行なったものである。また、比較検討のため夫々偏光分離シートを備えない場合についても測定を行なった。
　【００３１】
　図５から分かるように、反射板３を備える場合と銀箔反射シートを備える場合のどちらの場合でも、偏光分離シートを備えた方が各測定点での輝度及び平均輝度が大幅（平均輝度で５０％近く）向上している。そして、偏光分離シートを備えた状態では、反射板３を備える場合の方が銀箔反射シートを備える場合より平均輝度が高く、また殆どの測定点での輝度が高い。測定している光は液晶表示パネルを透過してきた光であり液晶表示パネルの光透過率がおよそ８％と低いことを考慮すると、各測定点での輝度及び平均輝度の差は大きいものであり、反射板３を備える場合の方が、銀箔反射シートを備える場合に比べ照明輝度の改善がされている。
　【００３２】
　また、輝度の均一性（最小輝度／最大輝度）については、偏光分離シートを備えた状態で、反射板３を備える場合の方が銀箔反射シートを備える場合より４％高くなっている。この４％という差は、照明光としてみた場合、輝度むらの強弱をはっきり視認できる差であり、反射板３を備える場合の方が、銀箔反射シートを備える場合に比べ輝度の均一性についても大幅に改善されている。尚、反射板３を備える場合において、偏光分離シートを備えないときの方が備えたときに比べて輝度の均一性は１％低いが、偏光分離シートを備えることによって輝度が向上した状態でこの値であるから、反射板３と偏光分離シートの組合せによって輝度の均一性が損なわれるものではない。
　【００３３】
　このように本発明では、偏光分離シート６を備える場合、導光板の裏面に対向配置される位相差板（あるいは１／４波長板）を備えることなく、つるつるの平滑面であり且つ拡散あるいは乱反射面を有する反射板３を導光板の裏面２３に空気層を介して対向配置することにより、銀箔反射シートを用いた場合に発生する照明輝度の低下や輝度むらを改善することができる。これにより、偏光分離シートの効果を十分に得ることが可能になり、照明性能を向上させ更には表示装置の表示性能の向上に寄与できる。
　【００３４】
　また、本発明では、光源１と導光板２は第１、第２ホルダ８、９内に収納され、開口部９１側を除き、光源１と導光板２が第１、第２ホルダ８、９に覆われるので、光源１から発せられた光及び導光板２内に入射された光が出射面２３以外から洩れることを抑えられる。従って、光の洩れが少なくなるので、光源からの光の有効利用がされ、偏光分離シートによる効果を更に引き出すことが可能となる。そして、面光源装置としての照明性能及び表示装置の表示性能を更に向上を図ることができる。
　【００３５】
　図１及び図２に示す実施例では、反射板３と第２ホルダ９別体のものであるが、第１ホルダ８の後面部８１の導光板の裏面２３と対向する面をつるつるの平滑面であり且つ拡散あるいは乱反射面に形成することで、別体の反射板３を備える必要が無くなる。第２ホルダ９は樹脂成形されるものであるから、成形に用いる金型の後面部に対応する部分につるつるの平滑面が得られるような加工を施すことで、反射面を備えたものが一体的に且つ容易に成形することができる。尚、必要に応じて後面部８１の表面を研磨加工や化学処理してもよい。そして、導光板２を第２ホルダ９に組込んだときには、導光板の裏面２３との間に空気層が介在した状態で後面部８１と裏面２３が対向することになり、部品点数の削減を図りながら図１及び図２に示す実施例と同様の効果を得ることができる。
　【００３６】
　【発明の効果】
　本発明は、以上の説明から明らかなように、偏光分離シート６を備える場合、つるつるの平滑面であり且つ拡散あるいは乱反射面を有する反射板を導光板の裏面に空気層を介して対向配置することにより、銀箔反射シートを用いた場合に発生する照明輝度の低下や輝度むらを改善することができる。そして、偏光分離シートを備える場合に、導光板の裏面に対向配置される位相差板（あるいは１／４波長板）を備えることなく、偏光分離シートの効果を十分に得ることが可能になり、照明性能を向上させ更には表示装置の表示性能の向上に寄与できる。
　【００３７】
　また、光源と導光板は第１、第２ホルダ内に収納されて、開口部側を除いた周囲が覆われた状態になるので、光の洩れを低減することができ、光源からの光の有効利用と共に偏光分離シートによる効果を更に引き出すことが可能となる。
　【００３８】
　更に、第１ホルダの後面部の導光板の裏面と対向する面をつるつるの平滑面であり且つ拡散あるいは乱反射面に形成することで、別体の反射板を備える必要が無くなり、部品点数の削減を図りながら上述と
同様の
【図面の簡単な説明】
　【図１】
　本発明に係る表示装置の一実施例の組立構成図である。
　【図２】
　図１の表示装置の概略構成図である。
　【図３】
　図１に係る第１ホルダの内側概略図である。
　【図４】
　図１に係る第２ホルダの内側概略図である。
　【図５】
　本発明の一実施例に係る反射板を用いた場合と銀箔反射シートを用いた場合との照明光の輝度の比較を示す図である。
　【図６】
　図５における測定点の説明図である。
　【符号の説明】
　１　　　　光源
　２　　　　導光板
　２１　　　入射面
　２２　　　出射面
　２３　　　裏面
　２４　　　側面
　３　　　　反射板
　４　　　　拡散シート
　５　　　　レンズシート
　６　　　　偏光分離シート
　７　　　　液晶表示パネル（非発光表示手段）
　８　　　　第１ホルダ
　８１　　　後面部
　８２　　　第１光源保持部
　８３　　　第１電線保持部
　８４　　　第１収納領域
　８５　　　第１リフレクタ（反射面）
　９　　　　第２ホルダ（ホルダ）
　９１　　　開口部
　９２　　　第２光源保持部
　９３　　　第２電線保持部
　９４　　　第２収納領域
　９５　　　第２リフレクタ（反射面）
　１０　　　空気層
　Ａ　　　　光源収納室
　Ｂ　　　　パネル収納部（表示手段収納領域）